(57)【要約】【課題】  ろう材が被覆された偏平チューブ２を積層してコア３を構成し、それらの外周にケーシング４を被嵌して全体を一体的にろう付け固定した熱交換器の製造方法において、そのろう付け時にろう材の溶融に伴って生じる各部品間の隙間を埋めると共に、寸法精度の高い熱交換器の製造方法および熱交換器の提供。【解決手段】  ケーシング４を断面溝型に曲折した第１ケース4aと、両縁部が僅かに立ち上げられた第２ケース4bとで構成し、第２ケース4bの両縁部に第１ケース4aの両縁を嵌着し、その嵌着部を積層方向に僅かに異動自在に保持する。そして第２ケース4bを下側に位置して第１ケース4aを上下方向に圧縮状態で、全体を一体的にろう付け固定する。【選択図】        図２
2008275244.tif 000002
【特許請求の範囲】
【請求項１】
その外面に突設したディンプル(1)または突条により互いに接触する多数の偏平チューブ(2)を積層してコア(3)を構成し、そのコア(3)の外周に、その一部が接するようにしてケーシング(4)を被嵌し、それら各部品の表面に予め被覆されたろう材により、各部品間を互いにろう付け固定した熱交換器の製造方法において、
前記ケーシング(4)は、それぞれ内面にろう材が被覆されて、断面門形に曲折された第１ケース(4a)と、両縁部が僅か立ち上げられた第２ケース(4b)とからなり、その第２ケース(4b)の両縁部に第１ケース(4a)の両縁を嵌着し、その嵌着部を前記積層方向に重複して、その積層方向に僅かに移動自在に保持し且つ、その第２ケース(4b)を下側に位置して、前記ケーシング(4)を上下方向に圧縮した状態で、全体を一体にろう付け固定した熱交換器の製造方法。
【請求項２】
請求項１において、
前記ケーシング(4)は、その第１ケース(4a)と第２ケース(4b)とにより全体が筒状に形成され、その両端開口縁部内に一対の短筒状のタンク(5)の一端開口縁部が挿入され、
そのタンク(5)は、その外周が変形しないように一体の形成体からなり且つ、前記ろう付けの際に被覆されたろう材の溶融に基づく、ケーシング(4)の圧縮方向の移動分だけ予め縮小した外形を有するものを用いて、それら各部品間を一体にろう付け固定した熱交換器の製造方法。
【請求項３】
請求項２において、
前記ケーシング(4)の内面で、前記コア(3)の端縁と前記タンク(5)の開口縁との間に、それらの縁に沿って位置決め突条(6)が設けられ、その位置決め突条(6)にコア(3)の端部およびタンク(5)の開口縁が略接するようにした熱交換器の製造方法。
【請求項４】
請求項２または請求項３において、
前記偏平チューブ(2)は、一対の浅い溝形プレート(2b)を互いに逆向きに重ね合わせたものからなり、その両端部が偏平に膨出した膨出縁部(2a)を有し、隣接する偏平チューブ(2)は互いにその膨出縁部(2a)の外周が接触してコア(3)を構成し、そのコア(3)の両端部を前記ケーシング(4)の両端部に接触して、一体にろう付け固定した熱交換器の製造方法。
【請求項５】
請求項１〜請求項４のいずれかの製造方法により製造された熱交換器。
【発明の詳細な説明】
【技術分野】
【０００１】
本発明は、複数の偏平チューブの積層体からなるコアと、その外周を被嵌するケーシングとを具備する水冷熱交換器であって、各部品の外表面にろう材が被覆された熱交換器の製造方法に関する。
さらに詳しくは、ろう付けの際に部品表面に被覆されたろう材が溶融して板厚が減厚（コアの焼き縮み）されたとき、それらの間に隙間が生じないと共に、精度良く熱交換器を製造するための方法に関する。
【背景技術】
【０００２】
下記特許文献に記載された熱交換器は、一対の皿状プレートよりなるエレメントを多数積層すると共に、その外周にケーシングを被嵌した熱交換器において、各部品の製造誤差を吸収するために、ケーシングをその中間位置で、エレメントの積層方向に二分割し、その分割部に帯状の重なり合わせ部を設け、上下方向にケーシングの二部材が移動できるように構成したものである。
それにより、ろう付けされる熱交換器において、仮に各部品間に隙間が生じていたとしても、一対のケーシング部品間を圧縮することにより、その隙間を無くして精度の高い熱交換器を提供することを目的とする。
【０００３】
【特許文献１】特開平１１−３０３６８９号公報
【発明の開示】
【発明が解決しようとする課題】
【０００４】
ケーシングを各偏平チューブの積層方向の中間高さで二分割し、コアの外周にそれらを被嵌して、その分割部に積層方向の重ね合わせ部を設け、全体を積層方向に圧縮して、ケーシングの重ね合わせ部で部品の製造誤差を吸収するものにおいては、その圧縮により中間部が幅方向に膨らみ、幅方向の寸法精度を確保できないおそれがある。それと共に、積層方向においても重ね合わせ部が均一に嵌着されるとは限らず、弾性変形によって、縦方向の寸法精度も悪くなるおそれがある。
そこで本発明は、かかる課題を解決することを目的とする。
【課題を解決するための手段】
【０００５】
請求項１に記載の本発明は、その外面に突設したディンプル(1)または突条により互いに接触する多数の偏平チューブ(2)を積層してコア(3)を構成し、そのコア(3)の外周に、その一部が接するようにしてケーシング(4)を被嵌し、それら各部品の表面に予め被覆されたろう材により、各部品間を互いにろう付け固定した熱交換器の製造方法において、
前記ケーシング(4)は、それぞれ内面にろう材が被覆されて、断面門形に曲折された第１ケース(4a)と、両縁部が僅か立ち上げられた第２ケース(4b)とからなり、その第２ケース(4b)の両縁部に第１ケース(4a)の両縁を嵌着し、その嵌着部を前記積層方向に重複して、その積層方向に僅かに移動自在に保持し且つ、その第２ケース(4b)を下側に位置して、前記ケーシング(4)を上下方向に圧縮した状態で、全体を一体にろう付け固定した熱交換器の製造方法である。
【０００６】
請求項２に記載の本発明は、請求項１において、
前記ケーシング(4)は、その第１ケース(4a)と第２ケース(4b)とにより全体が筒状に形成され、その両端開口縁部内に一対の短筒状のタンク(5)の一端開口縁部が挿入され、
そのタンク(5)は、その外周が変形しないように一体の形成体からなり且つ、前記ろう付けの際に被覆されたろう材の溶融に基づく、ケーシング(4)の圧縮方向の移動分だけ予め縮小した外形を有するものを用いて、それら各部品間を一体にろう付け固定した熱交換器の製造方法である。
【０００７】
請求項３に記載の本発明は、請求項２において、
前記ケーシング(4)の内面で、前記コア(3) の端縁と前記タンク(5)の開口縁との間に、それらの縁に沿って位置決め突条(6)が設けられ、その位置決め突条(6)にコア(3)の端部およびタンク(5)の開口縁が略接するようにした熱交換器の製造方法である。
請求項４に記載の本発明は、請求項２または請求項３において、
前記偏平チューブ(2)は、一対の浅い溝形プレート(2b)を互いに逆向きに重ね合わせたものからなり、その両端部が偏平に膨出した膨出縁部(2a)を有し、隣接する偏平チューブ(2)は互いにその膨出縁部(2a)の外周が接触してコア(3)を構成し、そのコア(3)の両端部を前記ケーシング(4)の両端部に接触して、一体にろう付け固定した熱交換器の製造方法である。
【０００８】
請求項５に記載の本発明は、請求項１〜請求項４のいずれかの製造方法により製造された熱交換器である。
【発明の効果】
【０００９】
本発明の熱交換器の製造方法は、第１ケース4aと第２ケース4bとからなるケーシング４内に、複数の偏平チューブ２からなるコア３が配置され、その第１ケース4a，第２ケース4b間を圧縮したとき、第１ケース4aと第２ケース4bとの嵌着部が偏平チューブ２の積層方向に異動自在に保持され、その圧縮状態で各部品間が一体にろう付け固定されたものである。
しかも、下側に位置する第２ケース4bは、その両縁部が僅かに立ち上げられ、第１ケース4aは断面門形に曲折されたものであるから、第１ケース4a，第２ケース4bの内面に被覆されたろう材がその嵌着部に集合し、ろう付けの信頼性が向上する。それと共に、第２ケース4bの両縁部は僅かに立ち上げられた形状であるため、その嵌着部の剛性が強くなり、圧縮してろう付けする際の変形を抑制して、各部品間の精度を向上し得る。
【００１０】
上記構成において、ケーシング４の両端部に一対のタンク５を設け、そのタンク５は外周が変形しないように一体形成してなるもので且つ、ろう付けの際のろう材の溶融に基づくケーシング４の圧縮方向の移動分だけ予め縮小した外形とすることができる。その場合には、タンク５によって各部品が圧縮方向に位置決めされ、精度の高い熱交換器を提供できる。そして、各部品間に隙間のない信頼性の高いものとなり得る。
さらに上記構成において、ケーシング４の内面で、前記コア３の端縁と前記タンク５の開口縁との間に、それらの縁に沿って位置決め突条６を設け、その位置決め突条６にコア３の端部およびタンク５の開口縁を略接することができる。その場合には、コア３およびタンク５の位置決めを確実に行うと共に、偏平チューブ積層の際に、各偏平チューブの開口部の境の幅方向両端に生じる、断面ｖ字状の隙間が、突条６により閉塞されて気密なろう付け構造となる。
【００１１】
上記構成において、偏平チューブ２の両端部を膨出縁部2aとし、隣接する偏平チューブ２は膨出縁部2aの外周どうしが接触するようにしてコア３を構成することができる。この場合には、ヘッダープレートを不要とする構造の簡単な熱交換器を精度よく製造することができる。
【発明を実施するための最良の形態】
【００１２】
次に、図面に基づいて本発明の実施の形態につき説明する。
図１は本発明の製造方法による熱交換器の要部分解斜視図（Ａ）及びその偏平チューブ２の要部斜視図（Ｂ）である。
この実施例の熱交換器は、ヘッダプレートを不要とする熱交換器であって、インナーフィン９を有する複数の偏平チューブ２を積層してコア３が形成され、そのコア３の外周にケーシング４が被嵌されると共に、ケーシング４の両端部（左端側を省略）に一対のタンク５が嵌着して、各部品間が一体にろう付け固定される熱交換器である。
【００１３】
その偏平チューブ２は、図１（Ｂ）に示す如く、一対（上側を省略）の溝型プレート2bを互いに逆向きに重ね合わせたものからなり、その両端部はプレス成形により膨出した膨出縁部2aを有する。それと共に、その内面側にディンプル１が定間隔に突出されている。溝型プレート2bは、その内面側及び外面側に夫々ろう材が被覆されたクラッド材（図４参照）よりなる。
このようにしてなる偏平チューブ２は、図１，図２に示す如く積層され、夫々の膨出縁部2aで隣接する偏平チューブ２が互いに接触すると共に、夫々のディンプル１どうしが接触する。そして、膨出縁部2aを除き、各偏平チューブ２間に冷却水の流通路が形成される。
【００１４】
また、偏平チューブ２の内部にはインナーフィン９が配置される。このインナーフィン９としては、公知のコルゲートフィン型のもの、或いはマルチエントリー型（オフセット型）のものを用いることができる。なお、偏平チューブ２の膨出縁部2aは、その幅方向及び厚み方向に夫々膨出してなる。このような偏平チューブ２が積層されてコア３を構成する。
次に、このコア３が被嵌されるケーシング４は、第１ケース4aと第２ケース4bとからなり、第１ケース4aは断面門形に形成され、第２ケース4bはその両縁が僅かに立ち上げられて浅い溝型に形成されている。さらに、各第１ケース4a，第２ケース4bの両端縁には、その内面側にその端縁からの間隔を同一にした複数の位置決め条部６が、端縁に平行に突設されている。
【００１５】
このような位置決め条部６は、プレス成形の半抜き加工により製作することができる。即ち、各第１ケース4a，第２ケース4bの板厚よりも薄い範囲でその外面側に凹条6aが形成されるように切断を伴う塑性変形が行われる。
また、第１ケース4a，第２ケース4bには、夫々偏平チューブ２のディンプル１に整合する位置に、その内面側に定間隔にディンプル１が突設形成される。さらに、第１ケース4aの外幅が第２ケース4bの内幅に整合する。
【００１６】
次に、タンク５は段付きの短い筒状体からなり、プレス成形により一体的に形成される。タンク５の後端部外周は、ケーシング４の組立て状態における内周に、略整合する。即ち、タンク５の幅は第１ケース4aの幅に整合すると共に、タンク５の高さはコア３の高さよりも図２において隙間ｔだけ予め低く形成されている。この隙間ｔは、各部品表面に被覆されたろう材が溶融したとき、その縮み代の総合計に略等しく形成されている。そして、図２においてコア３の外周にケーシング４を被嵌し、ケーシング４の両端部にタンク５を嵌着したとき、コア３とケーシング４とはその内面側においてろう付け前の組立て状態で互いに接触する。
【００１７】
このとき、タンク５の上端面とケーシング４との間にはｔの隙間が生じる。さらに、図３に示す如く、第１ケース4aの下端部は第２ケース4bの立ち上げ縁部内に嵌着すると共に、その第１ケース4aの下端縁と第２ケース4bの底面との間に僅かな隙間ｓが生じる。
また、フランジ材８は環状に形成され、その内周がタンク５の先端部外周に整合する。
なお、図１〜図３における各部品は板のプレス成形体よりなり、その板は、図４に示す如く、芯材10aの少なくとも一方の表面または両面にろう材10bが被覆されている。この例では第１ケース4a，第２ケース4bは、その内面側にろう材が被覆されている。偏平チューブ２は、その内外面に夫々ろう材10bが被覆されている。そして組立て状態において、コア３の両端及びタンク５の端縁は、ケーシング４の位置決め条部６によって位置決めされる。即ち、コア３の両端及びタンク５の端縁は、位置決め条部６に略接触して位置決めされる。
【００１８】
このように組み立てられた状態で、一対の第１ケース4a，第２ケース4b間が圧縮される。このとき、特にその第１ケース4aの開口縁においても圧縮される。このような熱交換器組立体は、ケーシング４の第２ケース4bが下側に位置して高温の炉内に挿入され、一体的に且つ液密にろう付け固定される。そして、各部品のろう材が溶融すると、各部品はその分だけ板厚が減少する。このとき一対の第１ケース4a，第２ケース4b間は、偏平チューブ２の積層方向に圧縮されているから、ろう材溶融に伴う減厚に追随し、第１ケース4aが第２ケース4b側に移動する。このときの移動量は、タンク５と第１ケース4aとの隙間ｔに等しい。
【００１９】
逆に言えば、タンク５の寸法により各部品の積層方向への移動が規制される。それにより、各部品が精度よく位置決めされる。このとき、第２ケース4bはその幅方向両縁部が僅かに立ち上げられたものであるため、幅方向への剛性が強く第１ケース4aの幅方向への変形を規制して、幅方向への寸法精度も向上させることができる。
このようにして製造された熱交換器は、図２及び図３において一方のタンク５から高温ガス12が各偏平チューブ２内に供給され、それが他方のタンク５に導かれる。また、ケーシング４の一方の水パイプ７から冷却水11が偏平チューブ２の外周に流通して、他方の水パイプ７からそれが流出して、両流体間に熱交換が行われる。
【００２０】
なお、高温ガス12は、それに代えて高温液体を流通させることができる。また、上記の例では、夫々の偏平チューブ２はその両端が開口したものであるが、それに代えて周縁が閉塞され、その長手方向両端部に一対の連通孔を設けた積層型の熱交換器とすることもできる。この場合には、偏平チューブ２内に冷却水を流通し、偏平チューブ２の外面側に高温ガス12を流通させることかできる。
【図面の簡単な説明】
【００２１】
【図１】本発明の製造方法における熱交換器の要部分解斜視図及びその偏平チューブ２の構成部品である膨出縁部2aの要部斜視図。
【図２】同熱交換器の組立て状態を示す要部縦断面正面図。
【図３】図２におけるIII−III矢視縦断面略図。
【図４】同熱交換器の部品に用いられるプレート10の拡大断面説明図。
【符号の説明】
【００２２】
１  ディンプル
２  偏平チューブ
2a  膨出縁部
2b  溝形プレート
３  コア
４  ケーシング
4a  第１ケース
4b  第２ケース
５  タンク
６  位置決め条部
6a  凹条
【００２３】
７  水パイプ
８  フランジ材
９  インナーフィン
10  プレート
10a  芯材
10b  ろう材
11  冷却水
12  高温ガス
ｔ  隙間
ｓ  隙間
【図１】
2008275244.tif 000003
【図２】
2008275244.tif 000004
【図３】
2008275244.tif 000005
【図４】
2008275244.tif 000006